(57)【特許請求の範囲】
【請求項１】
屋外で使用され、灯具本体内に光センサーが配置された照明装置において、
前記灯具本体の天面に設けられて、外部の光を前記灯具本体内に入射させる採光用開口と、
前記灯具本体の外側から前記採光用開口に挿入されているセンサーカバーと、
前記灯具本体の天面において、前記採光用開口の周囲に設けられた壁と
を備え、
前記センサーカバーは、前記灯具本体の天面から突出した状態で前記採光用開口に挿入されており、
前記壁が前記採光用開口から所定距離離れた位置に設けられることにより、前記センサーカバーと前記壁との間に鳥の口ばしや爪が入り難くなっている
ことを特徴とする照明装置。
【請求項２】
前記センサーカバーは、つば部を備えた円筒形状を有して、該つば部により前記灯具本体の表面から前記灯具本体内へのさらなる進入が阻止された状態で、前記採光用開口に挿入されていることを特徴とする請求項１に記載の照明装置。
【請求項３】
前記センサーカバーの前記灯具本体の天面からの突出高さと、前記壁の高さが同一であることを特徴とする請求項１又は請求項２に記載の照明装置。
【請求項４】
前記センサーカバーは、弾性体により形成されていることを特徴とする請求項１から請求項３のうちいずれか１項に記載の照明装置。
【請求項５】
前記光センサーを構成する受光素子が、前記センサーカバー内に収まっていることを特徴とする請求項１から請求項４のうちいずれか１項に記載の照明装置。
【請求項６】
前記壁は、前記灯具本体の天面において前記採光用開口の周囲を囲うＣ字状のリブであることを特徴とする請求項１から請求項５のうちいずれか１項に記載の照明装置。
【発明の詳細な説明】
【技術分野】
【０００１】
本発明は、屋外に設置され、主として路面を照明する照明装置に関する。
【背景技術】
【０００２】
従来、道路に立設された電柱や、外壁等に設置される照明装置としての防犯灯が知られている。この種の照明装置では、光源部と、光源部を点灯する点灯装置と、を全体として透光性を有する筒状のカバー部材で覆っている（例えば、特許文献１参照）。
【先行技術文献】
【特許文献】
【０００３】
【特許文献１】特開２０１２−２１６４７７号公報
【発明の概要】
【発明が解決しようとする課題】
【０００４】
上記のような屋外に設置される照明装置において、周囲環境の明るさを検知して点灯／消灯を行うための光センサーを照明装置本体内に配置する場合、照明装置本体の天面には、外部の光を照明装置本体内に入射させる採光用開口が設けられる。そして、採光用開口には、センサーカバーにより液密に封止される。この場合、センサーカバーの消失や破損が生じると、照明装置本体の液密性が失われるという問題があった。
この発明は、上記課題を解決するためになされたものであり、センサーカバーの消失や破損により、照明装置本体の液密性が失われることを防止した照明装置を提供することを目的とする。
【課題を解決するための手段】
【０００５】
上記目的を達成するために、本発明の照明装置は、屋外で使用され、灯具本体内に光センサーが配置された照明装置において、前記灯具本体の天面に設けられて、外部の光を前記灯具本体内に入射させる採光用開口と、前記灯具本体の外側から前記採光用開口に挿入されているセンサーカバーと、前記灯具本体の天面において、前記採光用開口の周囲に設けられた壁とを備え、前記センサーカバーは、前記灯具本体の天面から突出した状態で前記採光用開口に挿入されており、前記壁が前記採光用開口から所定距離離れた位置に設けられることにより、前記センサーカバーと前記壁との間に鳥の口ばしや爪が入り難くなっていることを特徴とする。
【０００６】
また、本発明は、上記照明装置において、前記センサーカバーは、つば部を備えた円筒形状を有して、該つば部により前記灯具本体の表面から前記灯具本体内へのさらなる進入が阻止された状態で、前記採光用開口に挿入されていることを特徴とする。
【０００８】
また、本発明は、前記センサーカバーの前記灯具本体の天面からの突出高さと、前記壁の高さが同一であることを特徴とする。
【０００９】
また、本発明は、上記照明装置において、前記センサーカバーは、弾性体により形成されていることを特徴とする。
【００１０】
また、本発明は、上記照明装置において、前記光センサーを構成する受光素子が、前記センサーカバー内に収まっていることを特徴とする。
【００１１】
また、本発明は、上記照明装置において、前記壁は、前記灯具本体の天面において前記採光用開口の周囲を囲うＣ字状のリブであることを特徴とする。
【発明の効果】
【００１２】
本発明によれば、灯具本体内に光センサーが配置された照明装置において、前記灯具本体の天面に設けられて、外部の光を前記灯具本体内に入射させる採光用開口と、前記灯具本体の外側から前記採光用開口に挿入されているセンサーカバーと、前記灯具本体の天面において、前記採光用開口の周囲に設けられた壁とが備えられている。このように、センサーカバーが挿入されている採光用開口の周囲を壁で囲うことによって、センサーカバーが鳥によって持っていかれて消失することや破損することを防止することができる。
【図面の簡単な説明】
【００１３】
【図１】本発明の実施形態に係る防犯灯の設置態様を示す図である。
【図２】防犯灯の構成を示す図であり、（Ａ）は下方斜視図、（Ｂ）は上方斜視図である。
【図３】防犯灯の平面図である。
【図４】防犯灯の構成を示す図であり、（Ａ）は図３のＩＶ−ＩＶ線断面図であり、（Ｂ）は（Ａ）のＢ部拡大図である。
【図５】防犯灯の分解斜視図である。
【図６】配線の固定構造を示す部分断面図である。
【図７】グローブの構成を示す図であり、（Ａ）は底面図、（Ｂ）は（Ａ）のＶＩ−ＶＩ断線断面図である。
【図８】グローブに設けられたレンズの斜視図である。
【図９】グローブに設けられたレンズの三面図であり、（Ａ）はレンズの平面図、（Ｂ）はレンズの街路方向に向けられる側の側面図、（Ｃ）はレンズの横断方向に向けられる側の側面図である。
【図１０】グローブに設けられたレンズの断面図であり、（Ａ）は図９（Ａ）のＡ−Ａ断面図、（Ｂ）は図９（Ａ）のＢ−Ｂ断面図である。
【図１１】図９（Ａ）のＢ−Ｂ断面におけるレンズの光線図である。
【図１２】図９（Ａ）のＡ−Ａ断面におけるレンズの光線図である。
【図１３】第１方向を含む断面において、入射面を第１入射面のみで仮想的に形成した場合の光線図である。
【図１４】第１入射面、及び第２入射面における光制御の説明図である。
【図１５】レンズを備えた防犯灯の照度分布図である。
【図１６】変形例の防犯灯の構成を示す分解斜視図である。
【発明を実施するための形態】
【００１４】
以下、本発明の実施形態について図面を参照して説明する。
図１は本実施形態に係る防犯灯１の設置態様を示す図である。
照明装置たる防犯灯１は、図１に示すように、街路８の街路脇８Ａに立設された支柱９に取り付けられる。防犯灯１は、街路８が延びる方向（通行方向）である街路方向Ｇに広い照射範囲を照らす灯具であり、周囲の明るさが所定値以下の間、又は/及び、所定時刻の間（いわゆる、夜間）に点灯する。防犯灯１は、その照射範囲の全域において、街路８の路面８Ｒから所定高さ（例えば１．５メートル）で規定の鉛直面の明るさが得られるように設計されている。防犯灯１は、図示は省略するが、支柱９に取り付ける他に、壁面にブラケット等を用いて取り付けられていてもよい。なお、本実施形態において、灯具の上下および前後は、防犯灯１を支柱９に取り付けた状態での、照射側を下方、取り付け側を後方として規定している。
【００１５】
図２および図３は、防犯灯１の構成を示す図である。図２（Ａ）は防犯灯１の上方斜視図、図２（Ｂ）は防犯灯の下方斜視図である。また、図３は防犯灯１の平面図である。
防犯灯１は、図１〜図３に示すように、灯具本体（照明装置本体）１０と、グローブ３０と、を備える。灯具本体１０は、所定の厚さのある薄い概略平板状に形成された平板部１１と、支持部１２と、備える。灯具本体１０は、アルミニウム合金等の金属により形成され、鋳造により平板部１１と、支持部１２とが、一体に形成される。灯具本体１０は、アルミニウム合金等の金属に限らず、金属を中芯に入れたインサート樹脂製とすることも可能であり、その他の材料により形成されてもよい。支持部１２は、灯具本体１０の天面１０Ｂに設けられ、図１に示すように、防犯灯１を支柱９に支持する。支持部１２は、灯具本体１０の支柱９への取り付け側である後方に寄せた位置に設けられる。支持部１２は、防犯灯１を、照射面側である灯具本体１０の底面１０Ａを路面８Ｒに対して、２０°程度傾斜させる姿勢で支柱９に支持する。
灯具本体１０の底面１０Ａには、カバー部材としてのグローブ３０が覆うように設けられ、底面１０Ａの側が当該グローブ３０によって閉塞される。グローブ３０は、樹脂材やガラスで形成され、少なくとも一部が透光性を有している。グローブ３０は、灯具本体１０の底面１０Ａと略同じ大きさの板状に形成される。
【００１６】
支持部１２は、図２、及び図３に示すように、支持部本体１３と、ブラケット１４とを備える。支持部本体１３は中空の箱体であり、この底面である底１３Ｂの略全体が灯具本体１０の天面１０Ｂに接続され、この支持部本体１３の後方背面を含む後端部１３Ｃには、支柱９への固定用のブラケット１４が取り付けられている。
ブラケット１４は、対向する２枚の板状部材１４Ａ，１４Ｂを備えている。板状部材１４Ａ，１４Ｂは、縦長矩形形状の取付孔１４Ｃが設けられている。取付孔１４Ｃは、２枚の板状部材１４Ａ，１４Ｂを貫くように、板状部材１４Ａ，１４Ｂの略同位置に設けられる。防犯灯１は、図１に示すように、この取付孔１４Ｃに通した取付バンド７を用いて支柱９に取り付けられる。防犯灯１は、図示は省略するが、取付孔１４Ｃに、支柱９や壁面に取り付けた固定ブラケットを掛合させて取り付けられてもよい。
【００１７】
支持部本体１３の天面１３Ｄには、外部の光を、支持部本体１３の内部に入射させる採光用開口１５（採光部）が設けられる。採光用開口１５には、透光性を有するセンサーカバー１７（透明体）が挿入されている。採光用開口１５は、センサーカバー１７により液密に封止される。センサーカバー１７は、シリコンゴムなどの材料から形成される。センサーカバー１７は、天面１３Ｄの外側から採光用開口１５に押し込むようにして弾性変形させ、着脱可能に挿入される。センサーカバー１７は、後述する明るさセンサー６５（光センサー）が、センサーカバー１７を通して支持部本体１３内に入射する光に基づいて周囲環境の明るさを検知できるように透光性を有していれば良く、材料は、透明であってもよいし、乳白色であってもよい。また、センサーカバー１７は、弾性体から形成する構成に限らず、樹脂材などの非弾性体で形成し、ねじ止めにより天面１３Ｄに固定する構成であってもよい。
【００１８】
図４は図３のＩＶ−ＩＶ線断面図である。図５は、防犯灯１の分解斜視図である。
図４および図５に示すように、防犯灯１は、上記灯具本体１０、及びグローブ３０の他に、基板５０を備える。
灯具本体１０の上記平板部１１は、その底面に基板５０を取り付ける基板取付け面２０を備える。平板部１１の上面は、灯具本体１０の上記天面１０Ｂを構成し、この上面に、上述した支持部本体１３が一体に形成されている。
平板部１１の基板取付け面２０には天面１０Ｂに貫通する開口２２が形成され、この開口を通じて上記天面１０Ｂの支持部本体１３の中空内部が連通し、この基板取付け面２０に、支持部本体１３の中空内部が凹部１８（収納凹部）として設けられる。
【００１９】
基板５０は、略矩形の回路実装基板であり、例えば、その通電部（不図示）は、高熱伝導性の銅箔からなり、その他の絶縁部（不図示）は樹脂からなる基板が用いられている。基板５０は、両面が実装面の基板である。基板５０には、発光素子たる複数のＬＥＤ５１が実装されている。ＬＥＤ５１は、本実施形態では、レンズ付ＬＥＤである。複数のＬＥＤ５１は、基板５０の表面５０Ａ（基板５０において、防犯灯１の照射側の面）に実装される。なお、本実施形態では、ＬＥＤを光源として備えているが、光源として、例えば有機ＥＬ等の他の発光素子を備えていてもよい。
また、基板５０の裏面５０Ｂには、電源回路６０を構成する複数の電源部品６１が実装される。電源部品６１は、電源用半導体素子等の電子部品である。このように、本実施形態の基板５０には、一枚の基板上に複数のＬＥＤ５１および複数の電源部品６１が配置されている。
【００２０】
複数の電源部品６１は、図５に示したように、ＬＥＤ５１を配置した位置から横にずれた位置で、基板５０上に配置される。本実施形態では、防犯灯１の設置状態において、基板５０の実装面は、表面５０Ａの前方側のエリアが光源エリアとして規定され、裏面５０Ｂ、及び表面５０Ａの後方側のエリアが電源回路エリアとして規定されている。光源エリアには、複数の上記ＬＥＤ５１が配置され、電源回路エリアには、複数の電源部品６１が纏めて配置される。すなわち、防犯灯１を側面視したときに、基板５０の前方側に複数のＬＥＤ５１が纏めて配置され、これらＬＥＤ５１から横にずれた後方側に、複数の電源部品６１が纏めて配置される。
各電源部品６１は、図４に示すように、取り付け用のリード６８（取付脚）を有し、このリード６８を基板５０に予め設けられた孔に差し込んで取り付けられる。リード６８は、基板５０の表面５０Ａにはんだ付けされながら配線される。複数の電源部品６１のうち、リード６８よりも背高の部品に関しては、基板５０の裏面５０Ｂに配置される。つまり、大半の電源部品６１は、ＬＥＤ５１が実装された面（表面５０Ａ）とは反対側の面（裏面５０Ｂ）に突出するように基板５０に配置される。複数の電源部品６１のうち、リード６８と略同じ高さ、或いは、背低の電子部品６１Ａに関しては、ＬＥＤ５１が配置された基板５０の表面５０Ａに配置されてもよい。要するに、複数のＬＥＤ５１と複数の電源部品６１とは、一枚の基板５０上に配置されるとともに、ＬＥＤ５１と、電源部品６１と、が横にずらした位置で、かつ、基板５０の表裏の面に分けて配置される。基板５０において、ＬＥＤ５１が取り付けられた部分をＬＥＤ取付け部５０Ｃとし、電源部品６１が取り付けられた部分を電源部品取付け部５０Ｄとする。ＬＥＤ取付け部５０Ｃと、電源部品取付け部５０Ｄと、は互いにオーバーラップしない位置で基板５０上に配置される。電源部品取付け部５０Ｄには、基板５０の表面５０Ａに、リード６８、半田６８Ａ、及び、背低の電子部品６１Ａが突出する。
【００２１】
電源回路６０は、商用電力を直流電力に変換してＬＥＤ５１の点灯電力を生成する電源回路である。電源回路６０には、支持部本体１３の後端部１３Ｃから引き出された電線６２を通じて商用電力が供給される。支持部本体１３の後端部１３Ｃには、電線６２を引き出す電線孔６３が設けられる。電線孔６３には、電線カバー６４が着脱自在に挿入される。電線６２は、電線カバー６４により、電線孔６３から液密に支持部本体１３内に引き込まれる。
電源回路６０には、明るさセンサー６５が接続されている。明るさセンサー６５は、複数の電源部品６１とともに、基板５０の裏面５０Ｂに配置される。明るさセンサー６５は、ポッティングタイプのフォトトランジスタにより構成される照度センサーである。明るさセンサー６５は、前述のセンサーカバー１７に対応する位置に設けられる。明るさセンサー６５は、特に、基板５０を灯具本体１０に取り付けた際に、受光素子がポッティング封止されたセンサー頭部が、センサーカバー１７内に収まるように基板５０上に配置される。
【００２２】
明るさセンサー６５は、センサーカバー１７を介して採光用開口１５から灯具本体１０内に入射した外部の光に基づいて、防犯灯１の周囲の明るさを検知する。電源回路６０には、明るさセンサー６５の検知信号に基づき、防犯灯１の周囲の明るさに応じて電源回路６０を制御し点灯／消灯を行う点灯回路が設けられており、これにより、自律的な点灯制御が行われる。なお、本実施形態では採光用開口１５を凹部１８の天面に設ける構成としたが、これに限らず、外部の光を凹部１８内に入射させることができるように、凹部１８の壁面の適宜の位置に設けてもよい。
【００２３】
基板取付け面２０は、図５に示すように、基板５０と略同じ大きさ、或いは若干大きく構成される。基板取付け面２０の少なくとも一部は、基板５０の裏面５０Ｂが密着し、ＬＥＤ５１の熱が伝えられる伝熱面２１として構成される。伝熱面２１は、基板５０の表面５０ＡにＬＥＤ５１が配置されたＬＥＤ取付け部５０Ｃに対応する位置に設けられる。基板５０の裏面５０Ｂにおいて、ＬＥＤ取付け部５０Ｃに対応する領域には、図示は省略するが、熱伝導膜が設けられる。熱伝導膜は、表面５０Ａに実装されたＬＥＤ５１の実装領域全体を覆う範囲に亘って、裏面５０Ｂに設けられる。基板５０は、裏面５０Ｂのうち、この熱伝導膜が設けられた領域を伝熱面２１に密着させて基板取付け面２０に取り付けられる。これにより、基板５０のＬＥＤ取付け部５０Ｃが、基板取付け面２０に熱伝導可能に当接される。
灯具本体１０は、上述のようにアルミニウム合金等の高熱伝導性を有する材料で形成されており、ＬＥＤ５１の発熱は、基板５０の裏面５０Ｂから熱伝導膜を通じて灯具本体１０の伝熱面２１に伝えられ、灯具本体１０の外気に接する面の略全面から外気に放熱される。
【００２４】
基板取付け面２０には、伝熱面２１から横にずれた位置に上記開口２２が形成され、この開口２２を通じて支持部本体１３の中空内部に平板部１１の底面の側が連通する。開口２２の大きさは、支持部本体１３の底１３Ｂと略同じ大きさ、或いは、若干小さく構成される。基板５０は、裏面５０Ｂに実装された複数の電源部品６１、および、明るさセンサー６５を凹部１８内に収納させるとともに、開口２２を覆って、基板取付け面２０に取り付けられる。
【００２５】
基板取付け面２０には、図５に示すように、基板５０の取り付け位置を決める位置決めピン２３が設けられる。位置決めピン２３は、基板取付け面２０からＬＥＤ５１の光軸方向に突出する棒状の部材である。基板取付け面２０には、３箇所に位置決めピン２３が設けられ、基板５０を基板取付け面２０に対して精度よく位置決めできるように構成されている。
基板５０には、位置決めピン２３に対応する位置に、位置決め孔５２が設けられる。また、基板５０および基板取付け面２０には、互いに対応する位置にねじ孔５４およびねじ穴２４が設けられる。基板５０は、位置決め孔５２に位置決めピン２３を挿通させて、かつ、ねじ５３で基板取付け面２０にねじ止めされることにより、基板取付け面２０に位置決めされて取り付けられる。基板５０は、基板取付け面２０に取り付けられた際に、裏面５０Ｂの一部が伝熱面２１に密接し、かつ、裏面５０Ｂに配置された電源部品６１、および、明るさセンサー６５が、凹部１８に収納される。
【００２６】
図６は、凹部１８内での配線の固定構造を示す部分断面図である。なお、図６では、配線の固定構造を明示するために、電源部品６１などの基板５０上に実装される部品を省略している。図６に示すように、凹部１８には、支持部本体１３の後端部１３Ｃに設けられた電線孔６３を通して、電線６２が引き込まれる。凹部１８の内側には、電線ホルダー２５が設けられる。電線ホルダー２５は、支持部本体１３の天面１３Ｄから中空内部に向けて突出する。電線ホルダー２５は、灯具本体１０と一体に形成されている。なお、電線ホルダー２５は、灯具本体１０とは、別体に形成され、天面１３Ｄに、凹部１８内側から取り付けられていてもよい。電線ホルダー２５は、ケーブルタイなどの結束バンド２５Ｃが挿通される挿通孔２５Ｂを備える。凹部１８の内部に引き込まれた電線６２は、挿通孔２５Ｂに挿通された結束バンド２５Ｃにより結束されて、電線ホルダー２５に保持される。
【００２７】
電線６２の接続端部には、電線側コネクタ６６が設けられる。基板５０の裏面５０Ｂには、電線６２が接続される基板側コネクタ５５が設けられる。基板側コネクタ５５は、電源部品６１、および、明るさセンサー６５を避けて電線６２を凹部１８の内側に配線できる位置に設けられる。また、基板側コネクタ５５は、組み立て工程時に、電線側コネクタ６６を基板側コネクタ５５に接続させてから、電源部品６１、および、明るさセンサー６５を凹部１８の内側に容易に収納できる位置に設けられる。本実施形態においては、基板側コネクタ５５は、電線孔６３を通して凹部１８内に引き込まれた電線６２が、明るさセンサー６５の周囲を通って接続される位置に設けられる。また、電線６２は、電線孔６３から、明るさセンサー６５の周囲を通って基板側コネクタ５５に接続されるのに十分な長さが凹部１８内に引き込まれる。電線６２には、凹部１８内に引き込まれた所定の長さの電線６２が凹部１８の外側に引き出されないようにするストッパー６７が取り付けられる。ストッパー６７は、ケーブルタイなどの結束バンドであってもよい。
【００２８】
センサーカバー１７が挿入された採光用開口１５の縁には、この縁に沿って、採光用開口１５から所定の距離、離れた位置に、壁２６（リブ）が設けられる。壁２６は、支持部本体１３の後ろ側が切りかかれた平面視Ｃ字状に構成される。壁２６は、センサーカバー１７の支持部本体１３の天面１３Ｄからの突出高さと略同じ高さに形成される。壁２６は、採光用開口１５からの距離が、センサーカバー１７と、壁２６と、の間に鳥の口ばしや爪が入りにくい距離に配設される。このように、センサーカバー１７が挿入された採光用開口１５の淵に沿って壁２６を設けたため、センサーカバー１７が鳥によって持っていかれたり、破損されたりするのを防ぐことができる。また、灯具本体１０は、底面１０Ａを路面８Ｒに対して、２０°程度傾斜させて取り付けられるため、壁２６が設けられた支持部本体１３の天面１３Ｄも、灯具本体１０の底面１０Ａと同様の方向に路面８Ｒに対して傾斜する。壁２６は、傾斜の下側が切りかかれた平面視Ｃ字状であるため、壁２６と、センサーカバー１７と、の間に生じた雨滴などの水滴を、切り欠き部分かから効率よく排出することができる。
【００２９】
グローブ３０は、灯具本体１０の底面１０Ａの側を覆って閉塞する。図５に示すように、グローブ３０は、灯具本体１０の底面１０Ａと略同じ大きさの板状に形成される。グローブ３０は、その左右両側の縁に、一対の爪３６を備える。灯具本体１０には、この爪３６に対応する位置に一対の引掛孔２８が形成される。グローブ３０は、爪３６を、灯具本体１０の内側から、引掛孔２８に引っ掛かけて、灯具本体１０の底面１０Ａを覆って取り付けられる。さらに、グローブ３０は、前後端部に、外周淵が切り欠かれた切り欠き３９を備え、この切り欠き３９に挿通したねじ４０により、灯具本体１０の底面１０Ａにねじ止めされる。
【００３０】
灯具本体１０の底面１０Ａには、基板取付け面２０を取り囲むように環状のパッキン嵌込溝２９が設けられている。このパッキン嵌込溝２９には、環状の止水用のパッキン１９が嵌め込まれる。
図７は、グローブ３０の構成を示す図である。図７に示すように、グローブ３０には、灯具本体１０の底面１０Ａに対向する面である裏面３０Ｂに、環状のパッキン押圧リブ３７が設けられている。パッキン押圧リブ３７は、パッキン嵌込溝２９に対応する位置に設けられ、グローブ３０を灯具本体１０に取り付けた際に、パッキン嵌込溝２９に挿入される構成である。グローブ３０を灯具本体１０に取り付けた際には、パッキン嵌込溝２９に嵌め込まれたパッキン１９は、パッキン押圧リブ３７により押圧され、パッキン押圧リブ３７とパッキン１９とが密着する。これにより、止水用のパッキン１９を、灯具本体１０と、グローブ３０と、の間で挟持させて、基板取付け面２０の防水を図ることができる。
【００３１】
上述の引掛孔２８は、パッキン嵌込溝２９の外側に配置される。引掛孔２８は、平板部１１の表裏を貫通するため、引掛孔２８から、灯具本体１０の内側に水が浸入する虞がある。そこで、平板部１１の後側面１１Ｂには、図５に示すように、後端部に水抜き孔２７が設けられる。水抜き孔２７は、底面１０Ａを切り欠いて後側面１１Ｂに形成される。灯具本体１０の使用状態で平板部１１は、灯具本体１０の底面１０Ａと同様の方向に路面８Ｒに対して傾斜する。引掛孔２８から、灯具本体１０の内側に浸入した水は、グローブ３０のパッキン押圧リブ３７と、平板部１１の内側面との間で、グローブ３０の裏面３０Ｂを伝って、灯具本体１０の後端部に向かって流れ、水抜き孔２７から外部に排出される。
【００３２】
図５に示すように、グローブ３０は、基板５０のＬＥＤ取付け部５０Ｃと、電源部品取付け部５０Ｄと、を一体に覆う。グローブ３０は、基板５０のＬＥＤ取付け部５０Ｃに対応する光源対応部３０Ｃ（対応部）と、基板５０の電源部品取付け部５０Ｄに対応する電源対応部３０Ｄ（対応部）とに区分けされる。
グローブ３０の電源対応部３０Ｄは、光源対応部３０Ｃよりも、表面３０Ａ側に一段高く形成される。電源対応部３０Ｄは、表面３０Ａ側に一段高く形成されることで、その内部（裏面３０Ｂ側）が一段分高さ方向に広げられる。グローブ３０は、電源対応部３０Ｄの内部が広げられる構成であればよく、必ずしも電源対応部３０Ｄは階段状に形成されていなくてもよい。例えば、グローブ３０の電源対応部３０Ｄを、光源対応部３０Ｃよりも表面３０Ａ側に膨出させてもよい。
【００３３】
基板５０の表面５０Ａには、電源部品取付け部５０Ｄに、電源部品６１のリード６８と半田６８Ａ、およびリード６８と略同じ高さ、或いは、リード６８よりも背低の電子部品６１Ａが突設される。基板５０の電源部品取付け部５０Ｄは、電源対応部３０Ｄにより覆われる。これらの、基板５０の表面５０Ａに突設したリード６８、半田６８Ａ、および電子部品６１Ａは、電源対応部３０Ｄの一段分高さ方向に広げられた内部に収納される。これにより、基板５０の表面５０Ａに突設したリード６８、半田６８Ａ、および電子部品６１Ａに緩衝することなく、グローブ３０を灯具本体１０に取り付けることができる。
【００３４】
図７に示すように、グローブ３０の裏面３０Ｂには、光源対応部３０Ｃに基板押圧リブ３８（リブ）が設けられる。基板押圧リブ３８は、グローブ３０を灯具本体１０に取り付けた状態で、基板５０のＬＥＤ取付け部５０Ｃを伝熱面２１に対して押圧する。基板押圧リブ３８は、パッキン押圧リブ３７の内側で、すべてのＬＥＤ５１を取り囲む位置に配置される。基板押圧リブ３８は、光源対応部３０Ｃの左右に設けられた一対の平面視略Ｌ字状の押圧リブから構成される。なお、基板押圧リブ３８は、ＬＥＤ５１を一つずつ取り囲むように複数を設けられてもよいし、ＬＥＤ５１を複数のグループに分けてグループごとにＬＥＤ５１を取り囲むように設けてもよい。この構成によれば、グローブ３０を灯具本体１０に取り付けた状態で、基板５０のＬＥＤ取付け部５０Ｃを伝熱面２１に対して押圧して密着させるため、ＬＥＤ５１の熱を効率よく灯具本体１０に伝熱させて放熱することができる。
【００３５】
また、グローブ３０には、電源対応部３０Ｄの全体、及び、光源対応部３０Ｃの、すべてのＬＥＤ５１を取り囲む範囲にしぼ加工が施される。光源対応部３０Ｃには、基板押圧リブ３８、及び、基板押圧リブ３８よりも外側の領域にしぼ加工が施される。このように、グローブ３０にしぼ加工を施すことで、基板５０の裏面５０Ｂに突出する電源部品６１の取付け脚や電源部品が、街路８を通行する通行者から見えないようにすることができる。
【００３６】
また、グローブ３０の後端部には、パッキン押圧リブ３７の内側に通気孔３４が設けられる。この通気孔３４には、フィルター３５が取り付けられる。灯具本体１０の底面１０Ａをグローブ３０で閉塞したため、ＬＥＤ５１の発熱等により防犯灯１内の空気が膨張する場合がある。グローブ３０に通気孔３４を設けたため、防犯灯１内で膨張した空気を防犯灯１の外部に逃がすことができる。また、通気孔３４にフィルター３５を設けたため、通気孔３４から防犯灯１の内部に塵埃や虫等の異物が入り込むのを防ぐことができる。さらに、グローブ３０に通気孔３４を設けたため、グローブ３０の内部空気を循環させることができ、グローブ３０内に結露が発生するのを防ぐことができる。
【００３７】
また、グローブ３０には、ＬＥＤ５１の各々に対応した位置に光学素子たる照明用レンズ３３が一体に備えられている。各々の照明用レンズ３３は、照射光の配光を制御する光学部材である。照明用レンズ３３をグローブ３０に一体に設けることで、基板５０とグローブ３０との間の隙間を縮め、防犯灯１を薄型にすることができる。
なお、照明用レンズ３３の具体的な構成については後述する。
【００３８】
ここで、照明用レンズ３３により照射光の配光を制御することから、ＬＥＤ５１と照明用レンズ３３とは、精度よく所定の位置関係に配置する必要がある。ＬＥＤ５１及び照明用レンズ３３のそれぞれは、光学設計の基準位置となる光学基準点位置を有している。ＬＥＤ５１の光学基準点位置は、発光点の光軸であり、照明用レンズ３３の発光基準点位置は、光学中心である。
基板５０とグローブ３０とは、ＬＥＤ５１の光学基準点位置と、照明用レンズ３３の光学基準点位置とが一致する位置で、精度よく位置決めされる。上述したように、基板５０は、基板取付け面２０に対して、位置決めピン２３、及び、ねじ穴２４により位置決めされて、灯具本体１０に取り付けられる。グローブ３０は、基板取付け面２０に設けられた位置決めピン２３に対応する位置に、位置決めピン２３を受ける受溝４１を備える。受溝４１は、グローブ３０の裏面３０Ｂを凹ませ、表面３０Ａに膨出させて、形成される。グローブ３０は、位置決めピン２３を受溝４１に挿入させ、枠状に形成されたパッキン押圧リブ３７をパッキン嵌込溝２９に挿入させ、一対の爪３６を灯具本体１０の一対の引掛孔２８に引き掛けて、灯具本体１０に対して位置決めされる。このように、基板５０、および、グローブ３０は、灯具本体１０に対して位置決めされることで、ＬＥＤ５１の光学基準点位置と、照明用レンズ３３の光学基準点位置とが一致する位置で、精度よく位置決めされるように構成されている。
また、グローブ３０には、基板５０を基板取付け面２０にねじ止めするねじ５３に対応する位置に、このねじ５３の頭を逃げる逃溝４２が設けられる。逃溝４２は、グローブ３０の裏面３０Ｂを凹ませ、表面３０Ａに膨出させて、形成される。
【００３９】
次いで、照明用レンズ３３の構成について詳述する。
図８はグローブ３０に設けた照明用レンズ３３の斜視図である。図９はグローブ３０に設けた照明用レンズ３３の三面図であり、図９（Ａ）は照明用レンズ３３の平面図、図９（Ｂ）は照明用レンズ３３の街路方向Ｇに向けられる側の側面図、図９（Ｃ）は照明用レンズ３３の横断方向Ｗに向けられる側の側面図である。また図１０はグローブ３０に設けた照明用レンズ３３の断面図であり、図１０（Ａ）は図９（Ａ）のＡ−Ａ断面図、図１０（Ｂ）は図９（Ａ）のＢ−Ｂ断面図である。
グローブ３０の表面３０Ａには、図２に示すように、複数（図示例では５つ）のＬＥＤ５１の各々に対応した位置に照明用レンズ３３が一体に設けられている。
照明用レンズ３３の各々はいずれも同一形状の凸レンズであり、ＬＥＤ５１の光を街路８の路面８Ｒに配光し、この路面８Ｒの照射領域を照明する。この照明用レンズ３３の配光は、横断方向Ｗ（図１）よりも街路方向Ｇに長い照射領域を照射する、いわゆる横長配光である。なお、横断方向Ｗは、街路８を横断する方向であって街路方向Ｇに直交する方向である。
【００４０】
図１０に示すように、グローブ３０の裏面３０Ｂが照明用レンズ３３の底面（入射面７１の外側で出射面７２と反対側を向く面）に相当する。この裏面３０Ｂには、照明用レンズ３３の直下位置に、ＬＥＤ５１が配置される凹部７０が形成されている。ＬＥＤ５１は、いわゆるレンズ付きＬＥＤであり、ＬＥＤチップ５１Ａの発光面５１Ａ１に砲弾型レンズ５１Ｂが設けられている。凹部７０には、ＬＥＤ５１の砲弾型レンズ５１Ｂが収められ、当該凹部７０の開口面７０Ａ（すなわち、グローブ３０の裏面３０Ｂ）と面一にＬＥＤチップ５１Ａの発光面５１Ａ１が配置されている。
【００４１】
ＬＥＤ５１は、発光面５１Ａ１の中心が発光点Ｑとして設定され、発光点Ｑから発光面５１Ａ１の法線方向に延びる軸を光軸Ｋとして光を放射する。ＬＥＤ５１の配光は、発光点Ｑを基準とし、かつ光軸Ｋからの角度をαとした場合に、光度分布がｃｏｓαに比例する、いわゆるランバート配光であり、ＬＥＤ５１は、光軸Ｋ方向から当該光軸Ｋに直交する方向に到る広範囲に亘って発光点Ｑから光を放射する。
このＬＥＤ５１が凹部７０の開口面７０Ａに発光点Ｑを合せて配置されることで、発光点Ｑから広範囲に放射される光が凹部７０の略全面に入射されようになり、当該凹部７０の全面が照明用レンズ３３の底面（グローブ３０の裏面３０Ｂ）に設けた入射面７１となる。
この入射面７１の構成については後述する。
【００４２】
また照明用レンズ３３は、グローブ３０の表面３０Ａに凸状に設けた出射面７２を有し、入射面７１から入射した光が出射面７２の略全面から光軸Ｋと直交する第１方向と、この光軸Ｋ及び第１方向と直交する第２方向との各々に拡張されて出射される。この照明用レンズ３３の配光は、第２方向よりも第１方向へ大きく光を拡張する、いわゆる横長配光である。
この照明用レンズ３３は、防犯灯１に組み込まれた状態において、第１方向が街路方向Ｇを向き、第２方向が横断方向Ｗに向くようにグローブ３０に設けられ、これにより、当該防犯灯１の配光が街路８の路面８Ｒを横長に照射する横長配光となる。
【００４３】
照明用レンズ３３の出射面７２は、図８、及び図９に示すように、大別すると、主出射面７３と、補助出射面７４とを備えている。
主出射面７３は、第２方向（横断方向Ｗ）よりも第１方向（街路方向Ｇ）に延びた上記横長配光を形成するように、これら第２方向、及び第１方向のそれぞれに光を拡張する光制御面であり、第１出射面７３Ａと、第２出射面７３Ｂとを備えている。
第１出射面７３Ａは、主として街路方向Ｇに光を拡張する光制御面である。
この第１出射面７３Ａは、図８に示すように、平面視略楕円形を成し、中心にＬＥＤ５１の光軸Ｋが配置される。この第１出射面７３Ａの中心、すなわち光軸Ｋと交差する箇所には、その周辺よりも曲率がより大きな曲面である第３出射面７３Ａ１が設けられている。この第３出射面７３Ａ１は、周辺の第１出射面７３Ａよりも大きく光を拡張することで、光軸Ｋ近傍に向かう光束を周辺に振り分け、当該光軸Ｋ近傍での照度が過度に高まるのを防止している。
【００４４】
第２出射面７３Ｂは、第１出射面７３Ａを間に挟んで第２方向（横断方向Ｗ）の両側の各々に、当該第１出射面７３Ａに連続して設けられた曲面であり、主として横断方向Ｗに光を拡張する。
【００４５】
主出射面７３の第１出射面７３Ａ、第２出射面７３Ｂ、及び第３出射面７３Ａ１の各々の曲率や形状は、防犯灯１の設置位置、及び路面８Ｒにおける照射領域の街路方向Ｇ、及び横断方向Ｗの各々の長さになどによって規定され、また後述する入射面７１における光制御に応じても変えられる。
【００４６】
図１１は、図９（Ａ）のＢ−Ｂ断面における照明用レンズ３３の光線図である。このＢ−Ｂ断面は光軸Ｋ、及び第２方向（横断方向Ｗ）を含む断面に相当し、この光線図は、第２方向（横断方向Ｗ）における光制御を示している。
補助出射面７４は、入射面７１に入射した光のうち、主出射面７３から逸れた光を、路面８Ｒの照射領域に向かわせる光制御面である。
詳述すると、図１１に示すように、照明用レンズ３３の底面（すなわち、グローブ３０の裏面３０Ｂ）には、入射面７１の両側のそれぞれに第１反射面７５が設けられている。この第１反射面７５は、ＬＥＤ５１の発光点Ｑから放射され入射面７１に入射した光束のうち、照明用レンズ３３の出射面７２を逸れてグローブ３０の中を進行する光束Ｍ１を、当該出射面７２の上記補助出射面７４に向けて全反射する。この光束Ｍ１が補助出射面７４に入射され、主出射面７３が照射する照射領域に向けられる。
これにより、グローブ３０の中を進行して無駄になる光束Ｍ１が照射領域の照射に用いられるので、光の利用効率が向上することとなる。
【００４７】
上記第１反射面７５は、グローブ３０の裏面３０Ｂに断面三角形の凹みを設け、この凹みの傾斜面によって構成される。図示は省略するが、第１反射面７５を構成する断面三角形の凹みは、少なくとも街路方向Ｇにおける入射面７１の長さＮ（図１２）に亘って設けられており、入射面７１で生じる上記光束Ｍ１の殆どを補助出射面７４に向けて反射する。また第１反射面７５の傾斜角度、及び、裏面３０Ｂから表面３０Ａに向かう方向の高さは、入射面７１や主出射面７３などの他の光制御面との関係によって決定される。
【００４８】
上記補助出射面７４は、第１反射面７５のそれぞれごとに設けられ、図１１に示すように第１反射面７５の直上に、図９に示すように主出射面７３の縁７３Ｆに繋がるように、当該主出射面７３の第１方向（街路方向Ｇ）における長さと略同じ長さで設けられている。
それぞれの補助出射面７４は、第２方向（横断方向Ｗ）において各出射光がクロスし、照射領域の第２方向（横断方向Ｗ）における端部を照らすように、光束Ｍ１を光制御される。これにより照射領域の横断方向Ｗの端部での照度が光束Ｍ１によって補われ、横断方向Ｗへの照射領域の拡張も可能になる。
【００４９】
この補助出射面７４は、第１反射面７５との関係に基づいて設計されていることから、第１反射面７５から反射されて入射する光以外の光については光制御が正確ではなく、いわゆる漏れ光となる。
そこで、図１１に示すように、この補助出射面７４は、入射面７１に入射した光束のうち、第１反射面７５で反射されずに補助出射面７４に直接入射する光束Ｍ２を、照明用レンズ３３の底面の側（すなわち、グローブ３０の裏面３０Ｂの側）に全反射により反射している。
これにより、補助出射面７４から漏れ光が出射されるのが防止され、照明用レンズ３３による配光品位の低下が抑制される。
【００５０】
図１２は、図９（Ａ）のＡ−Ａ断面における照明用レンズ３３の光線図である。このＡ−Ａ断面は光軸Ｋ、及び第１方向（街路方向Ｇ）を含む断面に相当し、この光線図は第１方向（街路方向Ｇ）における光制御を示している。
この照明用レンズ３３の主出射面７３は、第１方向（街路方向Ｇ）に延びた平面視楕円形に形成され、図１２に示すように、その第１方向における端部である第１方向端部７３Ｔから出射された光が第１方向の遠方に向けられている。
したがって、主出射面７３の第１方向における両端に、上記第１方向端部７３Ｔに代えて、漏れ光を防止する上記補助出射面７４を設けた場合、第１方向における照射領域の両端部の照度は補われるものの、上記第１方向端部７３Ｔが無いことから、そのままでは照射領域の第１方向の長さが短縮されてしまう。
【００５１】
そこで、この照明用レンズ３３では、入射面７１の光制御によって第１方向における漏れ光の有効利用を図る構成とし、この構成について、以下に説明する。
すなわち、図１２に示すように、照明用レンズ３３の入射面７１は、第１方向（街路方向Ｇ）を含む断面において、第１入射面８０と、第２入射面８１とを備え、この断面形状が横断方向Ｗに延びて形成されている。
第１入射面８０は、主出射面７３の側に凸な曲面であって、光軸Ｋと交差する部分において光軸Ｋと直交し、発光点Ｑから入射する光を主出射面７３に向かわせるように光制御し、この照明用レンズ３３では、第１方向を含む断面において、非球面形状に形成されている。
【００５２】
第２入射面８１は、第１入射面８０の縁８０Ａにつながり第１入射面８０と照明用レンズ３３の底面（すなわち、グローブ３０の裏面３０Ｂ）との間に設けられた入射面である。この照明用レンズ３３では、入射面７１を構成する凹部７０の略全面に光が入射されることから、入射面７１にあっては、第１方向を含む断面において、入射光の全てを光制御すべく、第２入射面８１が照明用レンズ３３の底面まで延ばして設けられている。
【００５３】
図１３は、第１方向を含む断面において、入射面７１を第１入射面８０のみで仮想的に形成した場合の光線図である。
この図に示すように、入射面７１を第１入射面８０のみで形成した場合には、入射面７１に入射した光束の一部の光束Ｍ３は、主出射面７３から逸れてしまい、この光束Ｍ３が無駄となる。
そこで、この照明用レンズ３３では、入射面７１において、光束Ｍ３が入射する範囲Ｓに第２入射面８１を設け、この第２入射面８１が光束Ｍ３を主出射面７３に向かうように光制御している。
この照明用レンズ３３では、第２入射面８１は発光点Ｑから所定半径の球面に形成され、図１２に示すように、入射した光を光軸Ｋの側に屈折し、主出射面７３に入射するように光制御する。また、この照明用レンズ３３では、第２入射面８１は、主出射面７３のうち、第１方向端部７３Ｔに光束Ｍ３を入射させている。これにより、光束Ｍ３が第１方向端部７３Ｔによって、第１方向（街路方向Ｇ）の遠方に向けられ、当該遠方が効率良く照射されることとなる。
【００５４】
ここで、この照明用レンズ３３にあっては、図１４に示すように、第１入射面８０も第２入射面８１と同様に、第１方向を含む断面において、入射光を光軸Ｋに側に屈折して主出射面７３に向ける光制御面として形成されている。
より詳細には、この第１入射面８０は、図１４に示すように、光源の位置に対応する光軸上の基点である上記発光点Ｑから入射面７１に直接的に到達する光が入射面７１を透過するときの屈折角をθ１とし、このθ１の符号を入射面７１の法線Ｆに対して光軸Ｋの側を負、その反対側を正としたときに、第１入射面８０、及び第２入射面８１ではいずれもθ１の符号が負となり、光軸Ｋの側に光を屈折させることとしている。
【００５５】
第１方向を含む断面において、第１入射面８０が光を光軸Ｋの側に屈折させることで、第１入射面８０に入射した光の拡がりが抑えられる。したがって、この光が入射する主出射面７３にあっては、第１方向における長さＮａ（図１１）を短縮でき、コンパクトな照明用レンズ３３を構成できる。
これにより、グローブ３０に複数のＬＥＤ５１、及び照明用レンズ３３を設ける場合に、より多くのＬＥＤ５１、及び照明用レンズ３３を設けることが可能となり、高出力化が容易となる。
【００５６】
図１５は、照明用レンズ３３を備えた防犯灯１の照度分布図である。
この図に示すように、この防犯灯１は、横断方向Ｗが約６メートルの幅の路面８Ｒを、街路方向Ｇに沿った各々の方向に１０メートル遠方まで照射している。
この照射領域において、横断方向Ｗの両端部エリアＷａには、横断方向Ｗを含む断面において、照明用レンズ３３の主出射面７３から逸れてグローブ３０の中を進行する光束Ｍ１が第１反射面７５、及び補助出射面７４によって向けられて照射される。この防犯灯１にあっては、仮に第１反射面７５、及び補助出射面７４が無いとすれば、上記光束Ｍ１は防犯灯１の背後側（街路８とは反対側）のエリアＨを照射し、光害や光の無駄を生じさせる。特に、この光束Ｍ１が照射するエリアＨは、防犯灯１に比較的近いことから、エリアＨの照度も比較的大きく、漏れ光の影響は顕著となる。このような光束Ｍ１が横断方向Ｗの両端部エリアＷａの照射に用いられることで、光害を抑え、光の利用効率を高めることができる。
【００５７】
また、照射領域において、街路方向Ｇの両端部エリアＧａには、街路方向Ｇを含む断面において、第２入射面８１によって照明用レンズ３３の主出射面７３に入射するように光制御された光束Ｍ３が照射される。この光束Ｍ３は、上述のとおり、第２入射面８１が無い場合には、主出射面７３から逸れてグローブ３０を進行する光である。このような光束Ｍ３が街路方向Ｇの両端部エリアＧａの照射に用いられることで、光の利用効率が高められ、また照射領域の街路方向Ｇにおける遠方までの距離を延長させることができる。
【００５８】
また、この照射領域において、防犯灯１の正面側（直下近傍）のエリアＬにおいては、主出射面７３が備える第１出射面７３Ａで、第２出射面７３Ｂよりも拡がるように光制御された光が照射される。これにより、エリアＬの照度が他よりも過度に高くなるのが抑えられ、照射領域における照度分布のムラが抑えられる。
【００５９】
ここで、本実施形態の防犯灯１は、底面（出射面）が街路８の横断方向Ｗに長い縦長の略矩形形状としたが、これに限らず、図１６に示した変形例のように、底面が街路８の街路方向Ｇに長い横長の略矩形形状であってもよい。図１６は、変形例の防犯灯１００の構成を概略的に示す分解斜視図である。なお、この変形例において、上述の実施形態と同一の構成に関しては同一の符号を付して、その説明を省略する。また、この図１６では、ねじ穴やねじ、パッキン嵌合溝やパッキンなどの詳細な構成については図示を省略するが、防犯灯１００は、上述の実施形態（図５参照）で示した種々の細部構成を備えるものである。
【００６０】
防犯灯１００は、照射器本体（照明装置本体）１１０の基板取付け面１２０の略中央に開口し、支持部本体１１３の中空内部により構成される凹部１１８（収納凹部）を備える。また、基板取付け面１２０は、凹部１１８の開口を挟んで配置された伝熱面１２１を有する。基板１５０の表面１５０Ａには、複数のＬＥＤ１５１が２つのグループに分けて配置され、各グループが、基板１５０の街路方向Ｇの両端部に、離して配置されている。基板１５０は、ＬＥＤ１５１が実装される一対のＬＥＤ取付け部１５０Ｃと、一対のＬＥＤ取付け部１５０Ｃの間で、基板１５０の略中央に設けられる電源部品取付け部１５０Ｄと、に区分けされる。基板取付け面１２０の伝熱面１２１は、基板１５０のＬＥＤ取付け部１５０Ｃに対応する領域に配置される。基板１５０は、ＬＥＤ取付け部１５０Ｃの裏面（ＬＥＤ１５１が配置された面とは逆の面）を伝熱面１２１に当接させて、基板取付け面１２０に取り付けられる。電源部品取付け部１５０Ｄには、図示は省略するが、電源回路を構成する電源部品６１、および、明るさセンサー６５が、裏面に突設される。
【００６１】
基板１５０の電源部品取付け部１５０Ｄは、照射器本体１１０の凹部１１８に対応する位置に配置されており、基板取付け面１２０に基板１５０を取り付けた際に、基板１５０の裏面に配置された電源部品６１、および、明るさセンサー６５が、凹部１１８に収納される。照射器本体１１０の底面１１０Ａは、グローブ１３０に覆われて閉塞される。グローブ１３０は、略板状の透明部材であり、例えば樹脂材やガラスで形成される。グローブ１３０は、基板１５０のＬＥＤ取付け部１５０Ｃと、電源部品取付け部１５０Ｄと、を一体に覆う。グローブ１３０は、ＬＥＤ取付け部１５０Ｃに対応する光源対応部１３０Ｃと、電源部品取付け部１５０Ｄに対応する電源対応部１３０Ｄ（対応部）とに区分けされる。
図示は省略するが、グローブ１３０の電源対応部１３０Ｄは、光源対応部１３０Ｃよりも、表面１３０Ａ側に一段高く形成される、或いは、膨出されその内部が広げられる。基板１５０の表面１５０Ａに突設した電源部品６１の取付け脚および電源部品は、電源対応部３０Ｄの高さ方向に広げられた内部に収納される。
【００６２】
以上説明したように、本発明の防犯灯１は、灯具本体１０と、灯具本体１０の基板取付け面２０に配置される基板５０と、を備え、基板５０の表面５０ＡにＬＥＤ５１を配置し、ＬＥＤ５１を配置した面から横にずれた、基板５０の裏面５０Ｂに電源部品６１を配置し、灯具本体１０に基板取付け面２０に開口し、電源部品６１を収納する収納凹部１８を形成した。
この構成によれば、ＬＥＤ５１および電源部品６１が配置された基板５０は、収納凹部１８に電源部品６１を収納させて、基板取付け面２０に取り付けられる。よって、防犯灯１は、部品同士を灯具本体１０内で接続部品等を用いて接続する必要がなく、少ない部品点数で、容易に組み立てることができる。
【００６３】
また、ＬＥＤ５１及び電源部品６１が一枚の基板５０上に配置され、基板５０の裏面５０Ｂに電源部品６１の他に光センサー６５を配置した。
この構成によれば、ＬＥＤ５１が実装された基板と、電源部品６１が実装された基板と、光センサー６５と、を互いに接続したり、別々に灯具本体１０に接続したりする必要がなく、一枚の基板５０を灯具本体１０に取り付けるだけでよい。よって、防犯灯１は、少ない部品点数で、容易に組み立てることができる。
【００６４】
また、基板５０のＬＥＤ取付け部５０Ｃが灯具本体１０の基板取付け面２０に熱伝導可能に当接する。
この構成によれば、ＬＥＤ５１の発熱を基板取付け面２０から灯具本体１０に伝熱させて、灯具本体１０の外表面から外気に放熱することができる。よって、ＬＥＤ５１の発熱を効率よく、放熱させることができる。
【００６５】
また、ＬＥＤ５１と、電源部品６１の取付け脚と、を一体に覆うグローブ３０を備えた。
この構成によれば、ＬＥＤ５１と、電源部品６１の取付け脚と、グローブ３０で一体に覆うため、防犯灯１は、少ない部品点数で、容易に組み立てることができる。
【００６６】
また、ＬＥＤ５１と、電源部品６１の取付け脚と、を一体に覆うグローブ３０を備え、グローブ３０に基板５０のＬＥＤ取付け部５０Ｃを押圧する基板押圧リブ３８を配置した。
この構成によれば、ＬＥＤ５１と、電源部品６１の取付け脚と、グローブ３０で一体に覆うことで、基板５０のＬＥＤ取付け部５０Ｃを基板取付け面２０に対して押圧することができる。これにより、ＬＥＤ取付け部５０Ｃを基板取付け面２０に密接させて、ＬＥＤ５１の発熱を伝熱面２１に効率よく伝熱させることができる。
【００６７】
また、グローブ３０がＬＥＤ５１に対応した照明用レンズ３３を一体に備える。
この構成によれば、グローブ３０が照明用レンズ３３を一体に備えるため、防犯灯１は、少ない部品点数で、容易に組み立てることができる。
【００６８】
また、グローブ３０がＬＥＤ５１の対応部である光源対応部３０Ｃと、電源部品６１の取付け脚の対応部である電源対応部３０Ｄとに区分けされ、電源部品６１の取付け脚の対応部である電源対応部３０Ｄが一段高く形成される。
この構成によれば、電源部品６１の取付け脚に緩衝することなく、グローブ３０を取り付けることができる。
【００６９】
また、基板５０の外周部を囲って止水用のパッキン１９を配置し、止水用のパッキン１９を灯具本体１０とグローブ３０の間に挟持させた。
この構成によれば、灯具本体１０にグローブ３０を取り付けることで、パッキン１９により、基板５０の防水を容易に図ることができる。
【００７０】
また、収納凹部１８の壁面に明るさセンサー６５に対応する採光部たる採光用開口１５を配置した。
この構成によれば、電源部品６１および明るさセンサー６５を凹部１８に収納して、基板５０を灯具本体１０に取り付けることで、明るさセンサー６５を採光部に配置することができる。よって、防犯灯１を、少ない部品点数で、容易に組み立てることができる。
【００７１】
また、収納凹部１８の外壁面に採光用開口１５を囲うＣ字状の壁２６を形成した。
この構成によれば、採光用開口１５に挿入されたセンサーカバー１７が鳥によって持っていかれたり、破損されたりするのを防ぐことができる。
【００７２】
また、収納凹部１８の内側に電線ホルダー２５を配置した。
この構成によれば、電線６２を電線ホルダー２５に保持させて、凹部１８内に収納することができ、防犯灯１を組み立てる際に、電線６２の凹部１８内での配線を容易に行うことができる。
【００７３】
また本実施形態によれば、照明用レンズ３３の入射面７１は、出射面７２の側に凸な曲面である第１入射面８０と、この第１入射面８０の縁８０Ａにつながり当該第１入射面８０と照明用レンズ３３の底面との間に設けられた第２入射面８１と、を備え、第１入射面８０、及び第２入射面８１はいずれも、発光点Ｑから入射する光を光軸Ｋの側に屈折する構成とした。
この構成によれば、第２入射面８１の屈折作用によって、光の利用効率が高められるとともに、第１入射面８０が光を光軸Ｋの側に屈折することから、この光の拡がりが抑えられ出射面７２の大きさを小さくできる。これによりコンパクトでありながらも、効率が良い照明用レンズ３３が得られる。
【００７４】
また本実施形態によれば、第２入射面８１は、入射した光を主出射面７３の第１方向端部７３Ｔに入射する構成とした。
この構成によれば、第２入射面８１が無ければ無駄になる光が第１方向の遠方の照明に用いられることで、第１方向の照射領域の遠方の照度不足を補い、また遠方までの距離を効率良く延ばすことができる。
【００７５】
また本実施形態によれば、照明用レンズ３３の底面に相当するグローブ３０の裏面３０Ｂには、光軸Ｋの方向、及び第１方向（街路方向Ｇ）と直交する第２方向（横断方向Ｗ）における入射面７１を挟んだそれぞれに、出射面７２に向けて光を反射する第１反射面７５を備える構成とした。
この構成によれば、第２方向を含む断面において、出射面７２を逸れてグローブ３０の中を進行する光を照明に利用することができ、光の利用効率が高められる。
【００７６】
また本実施形態によれば、出射面７２には、第１反射面７５が反射した光が入射され、第２方向に配光する補助出射面７４を備える構成とした。
この構成によれば、第２方向を効率良く照明できる。
なお、出射面７２の光制御の態様によっては、光軸Ｋ、及び第１方向を含む断面において、入射面７１を挟んだ両側のそれぞれに、第１反射面７５を設けることもできる。
【００７７】
また本実施形態によれば、補助出射面７４は、入射面７１から直接入射する光を、照明用レンズ３３の底面の側に反射する構成とした。
この構成によれば、補助出射面７４で光制御できない光成分が出射されてしまうのが防止される。
【００７８】
また、本実施形態によれば、第１反射面７５、及び補助出射面７４は、いずれも全反射面とした。
これにより、光の利用効率が非常に高い照明用レンズ３３が得られる。
なお、第１反射面７５、及び補助出射面７４の両方を必ずしも全反射面とする必要はない。
【００７９】
なお、上述した実施形態は、あくまでも本発明の一態様を例示したものであって、本発明の趣旨を逸脱しない範囲で任意に変形、及び応用が可能である。
例えば上述した実施形態では、屋外設置型の照明装置の一例として防犯灯１を例示したが、これに限らず、本発明は、街路灯や道路灯、投光器にも適用できる。
また、発光素子の一例としてＬＥＤ５１を例示したが、これに限らず、有機ＥＬ等の他の発光素子でも良い。
また、グローブ３０が、光源対応部３０Ｃと、電源対応部３０Ｄとを一体に備える構成としたが、これに限らず、光源対応部３０Ｃと、電源対応部３０Ｄとが別体に形成されていてもよい。
また基板５０には複数のＬＥＤ５１を設けたが、ＬＥＤ５１を１つとしても良い。この場合は１つの照明用レンズ３３がグローブ３０，１３０に設けられる。
【符号の説明】
【００８０】
１、１００  防犯灯
１０、１１０  照明装置本体
１０Ａ  底面
１３  支持部本体
１５  採光用開口（採光部）
１７  センサーカバー
１８、１１８  凹部（収納凹部）
１９  パッキン
２０、１２０  基板取付け面
２１、１２１  伝熱面
２５  電線ホルダー
２６  壁（リブ）
２９  パッキン嵌込溝
３０、１３０  グローブ
３０Ｃ、１３０Ｃ  光源対応部
３０Ｄ、１３０Ｄ  電源対応部
３３  レンズ
３７  パッキン押圧リブ
３８  基板押圧リブ
５０、１５０  基板
５０Ａ  表面
５０Ｂ  裏面
５０Ｃ、１５０Ｃ  ＬＥＤ取付け部
５０Ｄ、１５０Ｄ  電源部品取付け部
５１、１５１  ＬＥＤ
６１  電源部品
６２  電線
６５  明るさセンサー（光センサー） 
【図１】
0006590024.tif 000002
【図２】
0006590024.tif 000003
【図３】
0006590024.tif 000004
【図４】
0006590024.tif 000005
【図５】
0006590024.tif 000006
【図６】
0006590024.tif 000007
【図７】
0006590024.tif 000008
【図８】
0006590024.tif 000009
【図９】
0006590024.tif 000010
【図１０】
0006590024.tif 000011
【図１１】
0006590024.tif 000012
【図１２】
0006590024.tif 000013
【図１３】
0006590024.tif 000014
【図１４】
0006590024.tif 000015
【図１５】
0006590024.tif 000016
【図１６】
0006590024.tif 000017